(57)【要約】      （修正有）【課題】水害時に、現場に設置して、後日、移動する必要がない仮設通路を提供する。【解決手段】水害地域用の、液圧式昇降手段付き仮設通路は、基部１１と、基部１１の上部に設けられた水平歩行面と、水平歩行面を上昇させて基部１１から引き離す昇降手段２０とを備え、昇降手段２０は、指示を受け次第、３乃至８バールの圧力で水により作動する少なくとも１個の伸縮自在シリンダ２０を備え、水平歩行面は、伸縮自在シリンダ２０に載っていることを特徴とする。【選択図】図２
2015203303.tif 000002
【特許請求の範囲】
【請求項１】
基部（１１）と、基部（１１）の上部に設けられた水平歩行面（１５）と、水平歩行面（１５）を上昇させて基部（１１）から引き離す昇降手段（２０）とを備え、昇降手段（２０）は、指示を受け次第、３乃至８バールの圧力で水により作動する少なくとも１個の伸縮自在シリンダ（２０）を備え、水平歩行面（１５）は、伸縮自在シリンダ（２０）に載っている、水害地域用の、液圧式昇降手段付き仮設通路であって、２対の、はさみのように結合されたアーム（３０）を備え、２対のアームにより、基部（１１）を水平歩行面（１５）に接続することを特徴とする仮設通路。
【請求項２】
前記基部（１１）は、上面が開いた、埋め込みケーシングにより構成されることを特徴とする、請求項１に記載の仮設通路。
【請求項３】
前記水平歩行面（１５）は、上部に舗装材を備えた面（１４）を備えることを特徴とする、請求項１又は２に記載の仮設通路。          
【請求項４】
前記水平歩行面（１５）は、底部が開いた第１ケーシング（１３）を備え、第１ケーシングの上には、上面が開いた第２ケーシング（１４）が、設けられることを特徴とする、請求項１乃至３のいずれか１に記載の仮設通路。
【請求項５】
前記伸縮自在シリンダ（２０）は、前記伸縮自在シリンダの中心に向かって直径が短くなり互いに一方内でスライドする複数個の中心を同じくする部材（２１）を備え、当該中心を同じくする部材（２１）の各々と、それに隣接する中心を同じくする部材との間には、独立した円形室（２３）が形成され、当該中心を同じくする部材（２１）の各々には、当該円形室（２３）を連通する通路（２５）が設けられ、当該中心を同じくする部材（２１）の内、最も外側の部材の側部に、少なくとも１個の開口（２２）を設けることを特徴とする、請求項１乃至４のいずれか１に記載の仮設通路。
【請求項６】
第１アーム（３１）であって、下部に、前記基部（１１）に旋回自在に結合された第１端（３２）を、上部に、第１ケーシング（１３）に設けたガイド（３４）内を水平方向にスライドする第２端（３３）を有する第１アームと、第２アーム（３５）であって、上部に、第１ケーシング（１３）に旋回自在に結合された第１端（３６）を、下部に、前記基部（１１）に設けたガイド（３８）内を水平方向にスライドする第２端（３７）を有する第２アームとを備え、当該第１アーム（３１）と当該第２アーム（３５）とは、当該第１アーム（３１）及び当該第２アーム（３５）の長さ方向に沿った中程に設けた軸（３９）により互いに回転自在に結合されることを特徴とする、請求項１乃至５のいずれか１に記載の仮設通路。
【請求項７】
前記水平歩行面（１５）の側部に取り付けた第１及び第２可撓性ネットを備えることを特徴とする、請求項１乃至６のいずれか１に記載の仮設通路。
【請求項８】
前記昇降手段（２０）に接続された流体流入手段及び流体排出手段を備えることを特徴とする、請求項１乃至７のいずれか１に記載の仮設通路。
【請求項９】
前記伸縮自在シリンダ（２０）は、前記伸縮自在シリンダ（２０）の制御流体の接続用に、２個のフランジ（２２）が互いに反対側に設けられることを特徴とする、請求項１乃至７のいずれか１に記載の仮設通路。
【発明の詳細な説明】
【技術分野】
【０００１】
本発明は、水害地域用の液圧式昇降手段付き仮設通路に関する。
【背景技術】
【０００２】
本発明は、特に、水害地域で、複数個の通路を互いに並べることにより、これらの通路を水よりも上に持ち上げる仮設通路に関する。
【０００３】
本発明による仮設通路は、例えば、ベニスにおける高潮のように、繰り返し水害が起き、歩行者用に水に濡れていない通路を提供する必要がある場合に、特に有効である。
【０００４】
事実、ベニスでは、高潮に見舞われている間には、架台に載せた木製の仮設通路を設置して、水により遮断された箇所で通行ができるようにして、街の大半へアクセスできるようにしている。
【発明の概要】
【発明が解決しようとする課題】
【０００５】
こうした仮設通路の問題点は、作業者にチームを組んでもらって現場で直ちに仮設通路を設置し、不要になったら保管場所に移動する必要があることである。
【０００６】
こうした作業は、行うのに多大の労力を必要とし、人的資源の点で大きな費用が掛かる。
【０００７】
本発明の目的は、従来技術の問題点を解消する、液圧式昇降手段付きの仮設通路を提供することにある。
【０００８】
本発明のもう一つの目的は、海洋及び／又は塩気のある環境で、問題を生ずることなく、耐えることができる仮設通路を提供することにある。
【０００９】
本発明のさらなるの目的は、水害時に、現場に設置して、後日、移動する必要がない仮設通路を提供することにある。
【課題を解決するための手段】
【００１０】
本発明によれば、これらの目的、及びその他の目的は、請求項１に記載した、水害地域用の液圧式昇降手段付き仮設通路により達成される。
【００１１】
本発明の具体的な構成上の特徴は、従属請求項に記載してある。
【発明の効果】
【００１２】
本発明による解決手段は、従来技術の解決手段に比べて、いくつかの利点がある。
【００１３】
本発明による仮設通路は、製作が簡易で頑丈であり、稼働に電気を必ずとも必要としない。
【００１４】
全体を適切な品質を備えたステインレス鋼で構成すると、湿気及び塩分による影響を受けない。
【００１５】
本発明による仮設通路は、真水で稼働するが、海水を利用することもでき、いずれの場合でも、オイル等の汚染流体を利用しない。
【００１６】
本発明による仮設通路は、仮設通路を設置する場所に用いられているのと同じ舗装材で覆うことができ、この場合、下降させると、実際上目に付かなくなり、構造上の問題を生じない。
【００１７】
たった一人の人員で、短時間に、相当数の仮設通路を稼働できる。
【００１８】
本発明の構成上の特徴及び特有の効果は、添付図面に非限定的な例示として示した実施形態についての後述する説明から明らかになる。
【図面の簡単な説明】
【００１９】
【図１】本発明による、不使用位置に下げた仮設通路を側面から見た断面図を示す。
【図２】本発明による、使用位置に上げた仮設通路を側面から見た断面図を示す。
【図３】本発明による、メインテナンス位置に上げた仮設通路を側面から見た断面図を示す。
【図４】本発明による仮設通路を上から見た一部透視図を示す。
【図５】本発明による、不使用位置に閉じた仮設通路を正面から見た断面図を示す。
【図６】本発明による、仮設通路を持ち上げる伸縮可能シリンダを側面から見た断面図を示す。
【図７】本発明による、仮設通路を持ち上げる伸縮可能シリンダを上から見た図を示す。
【図８】本発明による仮設通路を複数個備えたシステムの概略図を示す。
【発明を実施するための形態】
【００２０】
添付図面を参照すると、本発明による、水害地域用の液圧式昇降手段付き仮設通路１０は、基部１１であって、好ましくは、上部が開いたケーシングで構成され、通常、大きさが、４０００×１２００×２９０ｍｍであるものを備える。
【００２１】
基部１１は、地面に、通常、深さが２９０ｍｍの溝内入れて敷設される構造になっていて、基部１１の全体が、埋め込まれる。
【００２２】
基部１１は、好ましくは、横桁により補強される。
【００２３】
仮設通路１０は、下面に、基部１１と同様であるが、ひっくり返しになった、つまり、底面が開いた第１ケーシング１３を備え、上面には、上部が開いた第２ケーシング１４が、設けられて固定される。
【００２４】
第１ケーシング１３と第２ケーシング１４とは、水平歩行面１５を構成する。
【００２５】
第１ケーシング１３は、好ましくは、横桁により補強される。
【００２６】
第２ケーシング１４は、一面、舗装材で満たされる。
【００２７】
水平歩行面１５は、基部１１の上方に位置付けられて、これから離れて整合する。
【００２８】
仮設通路１０は、水平歩行面１５を昇降させる伸縮自在シリンダ２０を備える。
【００２９】
図示の実施形態では、伸縮自在シリンダ２０は、その中心に向かって直径が短くなり互いに一方内でスライドする５個の中心を同じくする部材２１を備える。
【００３０】
伸縮自在シリンダ２０の側部には、２個のフランジ２２が互いに反対側に設けられ、伸縮自在シリンダ２０を駆動する流体、通常は水用の配管に接続する。
【００３１】
中心を同じくする部材２１の各々と、それに隣接する中心を同じくする部材との間には、中心を同じくする部材２１の各々の厚さを減らすことによりもたらされる独立した円形室２３が形成される。
【００３２】
中心を同じくする部材２１の内、最も内側にある部材は、内側円筒室２４を備える。
【００３３】
中心を同じくする部材２１の各々の下部には、円形室２３の各々が、内側円筒室２４と連通する通路２５が設けられる。
【００３４】
中心を同じくする部材２１の各々の上部には、制御流体をシールするO−リング２６が設けられる。
【００３５】
中心を同じくする部材２１の内、最も内側にある部材の内側円筒室２４の上には、メインテナンス時に、伸縮自在シリンダ２０を持ち上げるのに用いる孔８が形成された縦壁２７が設けられる。
【００３６】
伸縮自在シリンダ２０は、基部１１に載り、複数個のボルトにより基部に固定してよく、好ましくは、固定されることなく、移動が妨げられるように定着されるのに適した受け部に、例えば、基部１１の底部に溶接された４個のストッパ５７を用いて、取り付けてもよい。
【００３７】
伸縮自在シリンダ２０を稼働させると、中心を同じくする部材２１の内、最も内側にある部材の上面は、第１ケーシング１３を押圧して水平歩行面１５を上昇させる。
【００３８】
伸縮自在シリンダ２０は、不使用時高さが、２００mmで、伸展時高さが７００mmである。
【００３９】
２対の、鋏のように結合されたアーム３０を設けて、水平歩行面１５の昇降をガイドするとともに安定化させる。
【００４０】
各対のアーム３０は、第１アーム３１であって、下部に、基部１１に旋回自在に結合された第１端３２を、上部に、第１ケーシング１３に設けたガイド３４内を水平方向にスライドする第２端３３を有するものを備える。
【００４１】
第２アーム３５も、上部に、第１ケーシング１３に旋回自在に結合された第１端３６を、下部に、基部１１に設けたガイド３８内を水平方向にスライドする第２端３７を有する。
【００４２】
第１アーム３１と第２アーム３５とは、アーム３１及び３５の長さ方向に沿った中程に設けた軸３９により互いに回転自在に結合される。
【００４３】
本発明の対象となる構造体に安定性をもたらすため、２対のアーム３０は、第１アーム３１同士を結合する第１型材４０と、第２アーム３５同士を結合する第２型材４１とにより、互いに結合される。こうした結合は、アームの上半分の箇所でなされる。
【００４４】
不使用状態では、仮設通路１０の可動部１５は、プラットフォームの隅近傍に設けられた４本の脚５５に載って、構造体の抵抗性を増し、仮設通路の構成部材に損傷を与えることなく、歩行者の通過により生ずる荷重よりも大きい荷重の通行を可能にしている。
【００４５】
第１ケーシング１３の側部（長手側に沿った箇所）と下には、ネット５０が取り付けられ、不使用状態（閉じ状態）では、仮設通路１０内に折り畳まれ、稼働状態（開き状態）では、仮設通路１０から広がって、構造体の側部で開いた空間部を側面から覆う。
【００４６】
ネット５０は、メッシュの大きさが、例えば、１又は２ｃｍのステンレスワイヤ製である。これらのネットは、仮設通路を閉じる場合には、折り畳むことができ、仮設通路を開ける場合には、広げることができる。
【００４７】
ネット５０は、仮設通路１０の構造体内に浮遊物が入り込むことにより故障が生じないようにするために設けられる。
【００４８】
水害地域において、水から通路を持ち上げるために、複数個の仮設通路１０を、それらの短辺に沿って並べる。単一の制御システムにより制御する、並べた仮設通路の数が、決まったら、これらの伸縮自在シリンダ２０を作動流体の配管に接続する。
【００４９】
特に、水流入パイプ６０は、適切なポンプによりもたらされる圧力で、例えば、５バール圧で、いずれにせよ、３乃至８バールの圧力で、手動式又は自動的に制御される三方向弁６２の第１ポートに接続される。
【００５０】
三方向弁６２の第２ポートは、逆止め弁６２であって、例えば、１バール圧に設定され、水の排水に用いるものに接続される。
【００５１】
三方向弁６２の第３ポートは、第１シリンダ２０の第１フランジ２２に、接続され、第１シリンダ２０の第２フランジ２２は、第２シリンダ２０の第１フランジ２２に接続される配管６４に接続され、第２シリンダ２０の第２フランジ２２は、第３シリンダ２０の第１フランジ２２に接続される配管６５に接続され、最後の第３シリンダ２０の第２フランジ２２は、プラグによりシールされる。
【００５２】
本発明の作用は、既に記載した事項から当業者には明らかであるが、特に、次の通りである。
【００５３】
不使用状態では、仮設通路１０は、これ用に隣接する仮設通路とともに用意された溝内に隠される。第２ケーシングは、既に用いられている舗装材と同じタイプのもので満たされることにより、仮設通路の存在は、実際には目立たない。
【００５４】
高潮が到達すると、オペレータは、手動で又は自動的に三方弁６２を開にして、三方弁に接続された全ての仮設通路を上昇させる。
【００５５】
仮設通路の稼働時には、第１上昇動作である三方弁６３を通じて水の流入を、例えば、１バールに設定して行うと、水は、内部に留まって、その後動作を妨げる恐れがある気泡が生じない。稼働段階では、システム内にある全ての気泡は、公知の手段で除去する。
【００５６】
水が、圧力下、例えば、５バールで、第１シリンダ２０の第１フランジから入り、その円形室２３に入り、その通路２５内に流入する。
【００５７】
水の一部は、第２フランジから出て、第２シリンダ２０に向かう。
【００５８】
同一の三方弁６２に接続された、全てのシリンダ２０は、伸展して第１ケーシング１３を押圧し、全のシリンダ２０が伸展しきるまで、水平歩行面１５を上昇させる。各仮設通路が、上昇して、路面位置よりも、例えば５００ｍｍ上昇した歩行者通路をもたらす。
【００５９】
水圧（５バール）を保ってシリンダのサイズを維持すると、約２５００ｋｇの力が加わって、通路及びその上を歩行する人間を持ちこたえることができる。
【００６０】
洪水が引くと、オペレータは、三方弁６２を閉じると、入力圧力はなくなるので、水は、逆止め弁６３から自動的に排出される。
【００６１】
仮設通路のメインテナンス時には、適切な持ち上げ装置により、水平歩行面１５を、１５００ｍｍの高さまで持ち上げることができる。このため、水平歩行面１５には、接続部５６が設けられる。
【００６２】
全般的なメインテナンス作業の安全性の観点から、仮設通路は、ラッチ４２によりメインテナンス位置に止まるようにして不意の降下を回避するとよい。
【００６３】
アーム３１と３５は、ガイド３４及び３８が、アームが昇降動作を行える長さを有するように構成されているので、昇降動作に従う。水平歩行面１５が、持ち上がると、オペレータは、仮設通路内にアクセスして必要な作業を行うことができる。
【００６４】
メインテナンス作業中、伸縮自在シリンダ２０は、稼働されないので、引き込んだ不使用状態に留まっている。穴２８を用いて仮設通路を引っ張って持ち上げ、メインテナンス作業を行うことができる。
【００６５】
仮設通路は、必要に応じて、及び従来技術を用いて、いかなる大きさにしてもよい。
【００６６】
こうしたシステムは、本発明の要旨内において、種々の変形が可能であり、全ての構成部材は、技術的に等価な部材により置換可能である。
【図１】
2015203303.tif 000003
【図２】
2015203303.tif 000004
【図３】
2015203303.tif 000005
【図４】
2015203303.tif 000006
【図５】
2015203303.tif 000007
【図６】
2015203303.tif 000008
【図７】
2015203303.tif 000009
【図８】
2015203303.tif 000010
【外国語明細書】
2015203303000001.pdf
2015203303000002.pdf
2015203303000003.pdf
2015203303000004.pdf